(57)【要約】  【課題】  衝撃荷重を負荷してもバンド体が裂傷して容易に電柱より脱落することのない機器装柱用バンドを提供する。  【解決手段】  バンド本体３の基部に備えた緊締材５の緊締杆８のフック８ａを、前記バンド本体３に並べて設けた適宜の透孔２を通じて該透孔２，２間の断面溝状の掛止部片７に掛止し、緊締杆８の基部に緊締ナット９を螺合して電柱に締め付ける。そして、前記掛止部片７の、緊締杆８の前記フック８ａを掛止する端縁７´の両側を、前記透孔２の４隅部の丸くした円弧縁で構成し、しかも、バンド体３の長手方向に沿って傾斜する傾斜縁７ａとする。【選択図】    図１
2011244585.tif 000002
【特許請求の範囲】
【請求項１】
バンド本体の基部に備えた緊締材の緊締杆の先端のフックを、前記バンド本体に並べて設けた適宜の透孔を通じて該透孔間の断面溝状の掛止部片に掛止し、緊締杆の基部に緊締ナットを螺合して電柱に締め付けるようにした電柱用バンドにおいて、前記掛止部片の、緊締杆の前記先端を掛止する端縁の両側を、前記透孔の４隅部の丸くした円弧縁で構成し、しかも、バンド体の長手方向に沿って傾斜する傾斜縁とした、電柱用バンド。
【発明の詳細な説明】
【技術分野】
【０００１】
本発明は、種々の機器を装柱するために用いる電柱用バンド（鋼材からなる）に関するものであり、殊に金属板を折曲したり、或いは、金属片を熔接して形成した側面視三角形状の電柱用足場を、電柱面に締付けるために用いる電柱用バンドに用いるに好適にしたものである。
【背景技術】
【０００２】
種々の機器を、例えば、側面視三角形状の電柱用足場（特許文献１）の装柱に際しては、バンド本体を三角形の足場に挿通させるようにして足場の当接部片にバンド本体の中間部を重ね合わせ、先端に備えた緊締材の緊締杆の先端を、バンド本体に並べて設けた方形状の透孔間の、断面溝状の掛止片に掛止して、前記緊締杆に緊締ナットを螺合して電柱に締め付けるようにした構造の電柱用バンドは公知である（特許文献２）。
【先行技術文献】
【特許文献】
【０００３】
【特許文献１】実公平０３−２５９８号公報
【特許文献２】実公昭５４−１８６２０号公報
【発明の概要】
【発明が解決しようとする課題】
【０００４】
前記従来構造の、電柱用バンドは、衝撃荷重を負荷したとき、その荷重負荷によってバンドが延びようとし、その延びようとする力が、緊締杆の先端と掛止片との掛止部に集中し、緊締杆先端が掛止した掛止片部分を電柱から離れる方向に浮き上がらせようとし、ついには掛止片の両端すなわち方形状の透孔の角部に負荷が集中して、掛止片は該角部から裂傷する。
【０００５】
本発明は、このような常況に鑑み、より比較的耐荷重性の有る電柱用バンドを提供することを目的として創案したものである。
【課題を解決するための手段】
【０００６】
バンド本体の基部に備えた緊締材の緊締杆の先端のフックを、前記バンド本体に並べて設けた適宜の透孔を通じて該透孔間の断面溝状の掛止部片に掛止し、緊締杆の基部に緊締ナットを螺合して電柱に締め付けるようにした電柱用バンドにおいて、前記掛止部片の、緊締杆の前記先端を掛止する端縁の両側を、前記透孔の４隅部の丸くした円弧縁で構成し、しかも、バンド体の長手方向に沿って傾斜する傾斜縁としたものである。
【発明の効果】
【０００７】
本発明によれば、装柱時に荷重の負荷により緊締杆の先端が掛止片を浮き上がらせようとしても、掛止片側にはその荷重が集中する角部がないので、荷重の集中による角部からの裂傷が生じることがなく、掛止片は緊締杆先端が掛止個所から屈曲変形するだけで、裂傷に因る切断が生じることがない。従って、耐荷重性の優れた電柱用バンドを提供できる。
【図面の簡単な説明】
【０００８】
【図１】正面図。
【図２】図１の平面図。
【図３】図１の底面図。
【図４】図１Ａ−Ａ線拡大断面図。
【図５】使用状態を示す断面図。
【図６】足場を装柱した状態の正面図。
【図７】図５の拡大側面図。
【図８】図５の平面図。
【図９】荷重を負荷した状態の使用状態図。
【図１０】バンド本体の一部斜視図。
【実施例】
【０００９】
実施例の電柱用バンドＡは、長手方向に沿って１列に透孔２，…を列設して構成したバンド本体３の先端側に仮止部片４を、基端部に緊締材５を構成するＵ字状の緊締受金具６を設けて構成したものである。
【００１０】
前記仮止部片４は、バンド本体３先端寄りの透孔２Ａ内に設けた舌状片を上方に（バンド本体３の表面側方向）折曲して形成し、前記緊締受金具６は、バンド本体３に較べ厚い鋼板を屈曲して形成したＵ字状体をバンド本体３に止着したものである。
【００１１】
そして、緊締受金具６の相対する前、後の部片６ａ，６ｂに、先端に前記透孔２，２間の掛止部片７に掛止するフック８ａを備えた緊締杆８を貫通させて組合わせ、前記前部片６ａよりに突出する緊締杆８の基部に緊締ナット９を螺合して前記緊締材５としたものである。
【００１２】
前記透孔２は、方形の４隅部を正面視丸くした（円弧状にした）円弧縁２ａを備えた孔形を成し、この透孔２，２間のバンド部片を、バンド本体３の裏面側から表面側方向に浮き上らせて断面溝形の前記掛止部片７とし、該掛止部片７の内径ａと前記透孔２の、バンド本体３の幅方向の最も広い部分の端縁間の離開幅ｂとがほぼ同じ距離にするようにして、前記透孔２の４隅部の円弧縁２ａを前記掛止部片７の傾斜縁７ａを構成させてある。すなわち、少なくも、前記掛止部片７の前記緊締杆８のフック８ａを掛止する一方の端縁７´の両側を前記透孔２の４隅部の丸くした円弧縁２ａで構成し、しかも、バンド本体３の長手方向に沿って傾斜する傾斜縁７ａとしてある。
【００１３】
電柱用バンドＡは、足受部片１０１と当接部片１０２およびこれら部片１０１，１０２間に架設した補強部片１０３とで成る側面視三角形状の足場Ｂに通して電柱Ｄに先端側より巻き付け、該先端側に設けた仮止部片４を、前記バンド本体３に並べて設けた適宜の透孔２に貫通させて、透孔２，２間の掛止部片７に掛止させて、バンド本体３が電柱Ｄの巻回状態から復元しようとする作用を仮止めして電柱Ｄに対する巻付け状態を保持させ、次いで、バンド本体３の基端部に備えた緊締材５の緊締杆８のフック８ａを適宜の透孔２を通じて掛止部片７の端縁７´に掛止し、緊締杆８の基部側の螺杆部に螺合した緊締ナット９を締付けることによって当該電柱用バンドＡの装柱状態を得ることができ、かつ、足場Ｂはバンド本体３で電柱面に締め付けられ装柱される。
【００１４】
そして、この装柱状態において、柱上作業において作業員の荷重が足場Ｂに負荷されたとき、緊締杆８のフック８ａとバンド本体３の掛止部片７との掛止部に該荷重が集中したとき、掛止部片７は変形してその負荷に耐え、装柱状態を保つのである。
【符号の説明】
【００１５】
２      透孔
３      バンド本体
５      緊締材
７      掛止部片
７´    端縁
８      緊締杆
８ａ    フック
９      緊締ナット
【図１】
2011244585.tif 000003
【図２】
2011244585.tif 000004
【図３】
2011244585.tif 000005
【図４】
2011244585.tif 000006
【図５】
2011244585.tif 000007
【図６】
2011244585.tif 000008
【図７】
2011244585.tif 000009
【図８】
2011244585.tif 000010
【図９】
2011244585.tif 000011
【図１０】
2011244585.tif 000012